(57)【要約】  【課題】  バックライトの発熱を効率よく排出するようにして液晶表示装置の大型化を可能にする。  【解決手段】  浅底の箱状に形成された反射板４の前方に適間隔に蛍光管６を配置しその前方に拡散板８および光学シート類９を配置した直下型バックライトを有する液晶表示装置において、前記反射板４の上面および下面にそれぞれ適間隔で複数の通気孔を形成し、筒部１２ａと筒部１２ａの一端に形成されたフランジ部１２ｂとからなる通気管１２を反射板４の上面および下面の内側から前記通気孔に挿着する。なお、通気管１２の両端またはいずれか一端または筒部１２ａ内側中間に白色のエアフィルタ１３，１４を取り付けることが好ましい。また、通気管１２の少なくともフランジ部１２ｂの外側面および筒部１２ｂの内面を白色とすることが好ましい。【選択図】  図１
2005234150.tif 000002
【特許請求の範囲】
【請求項１】
浅底の箱状に形成された反射板前方に適間隔に蛍光管を配置しその前方に拡散板および光学シート類を配置した直下型バックライトを有する液晶表示装置において、
前記反射板の上面および下面にそれぞれ複数の通気孔を形成するとともに、該通気孔に通気管を取り付けたことを特徴とする液晶表示装置。
【請求項２】
浅底の箱状に形成された反射板前方に適間隔に蛍光管を配置しその前方に拡散板および光学シート類を配置した直下型バックライトを有する液晶表示装置において、
前記反射板の上面および下面にそれぞれ適間隔で形成された複数の通気孔と、
筒部と該筒部の一端に形成されたフランジ部とからなり前記反射板の上面および下面の内側から前記通気孔に挿着された通気管と、
を備えたことを特徴とする液晶表示装置。
【請求項３】
請求項２に記載の液晶表示装置において、
前記通気管の両端またはいずれか一端または筒部内側中間に白色のエアフィルタを取り付けたことを特徴とする液晶表示装置。
【請求項４】
請求項２または３に記載の液晶表示装置において、
前記通気管の少なくともフランジ部外側面および筒部内面を白色としたことを特徴とする液晶表示装置。
【請求項５】
請求項２乃至４のいずれかに記載の液晶表示装置において、
前記反射板の上面または下面に取り付けられる複数の通気管のフランジ部をそれぞれ１枚の共通の板材により形成したことを特徴とする液晶表示装置。
【発明の詳細な説明】
【技術分野】
【０００１】
本発明は、平面型表示装置に関し、特に大型液晶テレビ等の直下型バックライトを有する液晶表示装置のバックライトの反射板の上面部および下面部に通気孔および通気管を設けてバックライトの光源の発熱を自然対流により、バックライト背面のキャビネット内に排出するようにした液晶表示装置に関する。
【背景技術】
【０００２】
直下型バックライトを有する液晶テレビは、その大型化・大画面化に伴い、バックライトの光源である蛍光管の発熱量が増大しバックライトの温度が上昇してくるという問題があった。従来、その対策として、種々の試みが行われている。その一例として、特許文献１に記載の「バックライト」がある。これは、バックライトを構成する反射板等に複数の通気孔を配設したものであり、バックライト内の温度が上昇すると、対流が発生して高温になった空気が上部の通気孔から排出され、排出された分の空気がバックライト内に流入されるものである。
【特許文献１】特開２００１−２９７６２３号公報
【発明の開示】
【発明が解決しようとする課題】
【０００３】
上述した特許文献１に記載の「バックライト」は、バックライト内の温度が上昇すると対流が発生して換気が行われるものの、配置した通気孔の数の割りには期待した程の効果が得られない。その原因としては、（１）通気孔の配置位置が下部から上部までの間に分散しているため、排気にも吸気にも作用しない無駄な通気孔が存在する。（２）排気または吸気に作用する通気孔も単に反射板に孔を形成しただけであり、孔の切り口のエッジ部分がわずかではあるが空気の通過の抵抗になっているからであると考えられる。そこで本発明は、反射板に形成された通気孔が排気用か吸気用かを明確に特定するとともに、通気孔の切り口のエッジ部分を解消して空気抵抗を減らし、あわせて通気孔に筒部を設けて煙突効果により対流を加速するようにしたことで、効率的な換気が行われるバックライトを備えた液晶表示装置を提案することを目的とした。
【課題を解決するための手段】
【０００４】
上記課題を解決するために、本発明は、浅底の箱状に形成された反射板前方に適間隔に蛍光管を配置しその前方に拡散板および光学シート類を配置した直下型バックライトを有する液晶表示装置において、前記反射板の上面および下面にそれぞれ複数の通気孔を形成するとともに、該通気孔に通気管を取り付けたことを特徴とする。詳しくは、浅底の箱状に形成された反射板前方に適間隔に蛍光管を配置しその前方に拡散板および光学シート類を配置した直下型バックライトを有する液晶表示装置において、前記反射板の上面および下面にそれぞれ適間隔で形成された複数の通気孔と、筒部と該筒部の一端に形成されたフランジ部とからなり前記反射板の上面および下面の内側から前記通気孔に挿着された通気管とを備える。なお、前記通気管の両端またはいずれか一端または筒部内側中間に白色のエアフィルタを取り付けることが好ましい。また、前記通気管の少なくともフランジ部外側面および筒部内面を白色とすることが好ましい。さらには、前記反射板の上面または下面に取り付けられる複数の通気管のフランジ部をそれぞれ１枚の共通の板材により形成することも可能である。
【発明の効果】
【０００５】
以上述べたように本発明によれば、反射板の上面および下面にそれぞれ複数の通気孔を形成するとともに、その通気孔に通気管を取り付けたことで、反射板内空間の温度が上昇すると、上面側の通気管から暖められた空気が上昇して排出されるとともに、下面側の通気管より冷えた空気が吸入されるが、このとき空気が通気管を通過する際に通気管による煙突効果が発生して通過空気が加速されて対流が促進され、効率的な換気および熱排出が行われるようになる。その結果、バックライト装置の過度の温度上昇を抑えることができて、液晶表示装置の大型化にも対応可能となる。
【発明を実施するための最良の形態】
【０００６】
以下、図に基づいて本発明の実施形態を説明する。
図１は本発明を液晶テレビに適用した場合の縦断面図であり、図２は図１の要部の拡大図であり、図３は図１の通気管を取り出して単独で示した図である。図１において、１は前面キャビネットであり、その背面に後面キャビネット２が接続されている。後面キャビネット２の内側にはダイキャストシャーシ３が支持されている。このダイキャストシャーシ３の内側に、バックライトを構成する反射板４が支持されている。
【０００７】
反射板４はアルミ板等からなり、浅底の箱状に形成され、その内側に白色の樹脂からなる反射シート５が敷設されている。反射シート５の表面には上下方向に等間隔で蛍光管６がランプクリップ７により水平方向に支持されている。蛍光管６の前方には、拡散板８および光学シート類９がその周囲をシートホルダ１０により把持されて支持されている。光学シート類９の前方には液晶パネル１１が配置されている。
【０００８】
本発明の特徴とするところは、図２に示されるように、反射板４の上面および下面の内側の反射シート５を除去するとともに、等間隔で反射板４の上面および下面に通気孔を形成する。同時に、その通気孔に対応する位置のダイキャストシャーシ３にも略同径の孔を形成する。これら孔に、図３に示される通気管１２を反射板４の内側からそれぞれ挿入して反射板４に固定する。通気管１２の筒部１２ａの先端は、ダイキャストシャーシ３の孔を通りその裏面側に開口される。
【０００９】
通気管１２のフランジ部１２ｂは反射板４の上面または下面の内側に当接されている。通気管１２は樹脂または金属からなり、少なくともフランジ部１２ｂの外面および筒部１２ａの内面は白色である。通気管１２の筒部１２ａの先端には白色のエアフィルタ１３が被せられており、同じく、通気管１２のフランジ部１２ｂの外面にも白色のエアフィルタ１４が被せられている。なお、エアフィルタ１３，１４のいずれか一方の取り付けを省略することも可能であり、または、エアフィルタ１３，１４を筒部１２ａ内に挿入することも可能である。
【００１０】
このように反射板４に通気管１２を取り付けたことで、液晶テレビに電源が投入されて、蛍光管６が通電されると、蛍光管６の回り等の空気が加熱されて上昇を開始する。上昇した空気は、通気管１２を通り、ダイキャストシャーシ３の裏側であって後面キャビネット２の内側の空間に放出される。同時に、反射板４の下面の通気管１２からは、後面キャビネット２の内側下方空間の暖められていない空気が吸入される。このとき、上下の通気管１２がそれぞれ煙突効果を発揮して、筒部１２ａ内の通過時に通過空気が加速されて、発生した対流が促進されることになる。
【００１１】
こうして、反射板４から後面キャビネット２内に送られてきた暖かい空気は、後面キャビネット２外側表面からの輻射等により冷却されて、次第に下降していく。それにより、反射板４の内側と後面キャビネット２の内側の空間との間に、空気の循環経路が完成するとともに、反射板４側で熱吸収し、それを後面キャビネット２側で熱排出するという熱サイクルが形成される。その結果、蛍光管６の発熱は、自然対流により運ばれて後面キャビネット２の外側表面から輻射により外気に放出されることになる。なお、図示しないが、後面キャビネット２部分に換気用のファンを設けて、後面キャビネット２内の空気を強制的に換気することも可能である。
【００１２】
また、通気管１２には、エアフィルタ１３，１４を取り付けたことで、循環する空気とともに、塵や埃が反射板４内に侵入してバックライトの輝度を低下させることを防止する。また、通気管１２の少なくともフランジ部１２ｂの外面および筒部１２ａの内面を白色にし、さらにエアフィルタ１３，１４も白色としたため、バックライトの発光面にそれらの新規取り付け部品の陰が写ることがなくなる。なお、図示例では、通気管１２を反射板４の内面側から通気孔に挿入して取り付けているが、通気管１２のフランジ部１２ｂを反射板４の外側から孔位置を合わせて当接し、フランジ部１２ｂと反射板４の外側面を接着等により固定して取り付けることも可能である。この場合は、通気管１２の筒部１２ａのピッチと、反射板４の通気孔のピッチとを厳重に管理しなくてすむ利点がある。
【００１３】
図４は、通気管の他の実施形態を示す斜視図である。図示される通気管１５は、筒部１５ａの一端に円盤状のフランジ部１５ｂを形成したものであり、筒部１５ａとフランジ部１５ｂが１対１で対応している。この通気管１５も、図１および図２に示したものと同様に、反射板４に取り付けることが可能である。なお、図１および図２に示した実施形態は、反射板４の外側にダイキャストシャーシ３が配置されている場合を示しているが、ダイキャストシャーシ３が配置されない構造の場合にも、本発明を適用することが可能である。また、通気管の構造を、フランジ部のない単なる筒部だけで構成し、その筒部の一端を反射板４に形成されている通気孔に、ねじ込み、接着、溶接、かしめ等により取り付けることも可能である。
【産業上の利用可能性】
【００１４】
本発明は、平面型表示装置、特に液晶表示パネル、ＰＤＰ（プラズマディスプレイパネル）、ＥＬ（エレクトロルミネッセンス）表示パネル等の平面型表示パネルを用いた表示装置への利用が可能である。また、液晶表示装置以外でもバックライトを有する表示装置全般への利用が可能である。
【図面の簡単な説明】
【００１５】
【図１】本発明を液晶テレビに適用した場合の縦断面図である。
【図２】図１の要部の拡大図である。
【図３】図１の通気管を取り出して単独で示した図である。
【図４】通気管の他の実施形態を示す斜視図である。
【符号の説明】
【００１６】
１  前面キャビネット
２  後面キャビネット
３  ダイキャストシャーシ
４  反射板
５  反射シート
６  蛍光管
７  ランプクリップ
８  拡散板
９  光学シート類
１０  シートホルダ
１１  液晶パネル
１２  通気管
１２ａ  筒部
１２ｂ  フランジ部
１３，１４  エアフィルタ
１５  通気管
１５ａ  筒部
１５ｂ  フランジ部
【図１】
2005234150.tif 000003
【図２】
2005234150.tif 000004
【図３】
2005234150.tif 000005
【図４】
2005234150.tif 000006